(57)【要約】  本発明は、高さ調節型床装置に関し、ボルトホール１１０が形成された床材１００と、床材１００の底面に固定され、ボルトホール１１０と対応するナット部２１０が突出形成された固定プレート２００と、ボルトホール１１０を介してナット部２１０に締結され、上端に道具挿入溝３１０が形成された高さ調節ボルト３００とを含んで構成される。これにより、高さ調節型床装置の機能性および使用性をより向上させることができる。
2020514600.tif 000002
【特許請求の範囲】
【請求項１】
建物のスラブ（Ｓ）上に設置され、高さが調節可能な高さ調節型床装置であって、
ボルトホール（１１０）が形成された床材（１００）と、
前記床材（１００）の底面に固定され、前記ボルトホール（１１０）と対応するナット部（２１０）が突出形成された固定プレート（２００）と、
前記ボルトホール（１１０）を介して前記ナット部（２１０）に締結され、上端に道具挿入溝（３１０）が形成された高さ調節ボルト（３００）とを含み、
前記床材（１００）は、
内部に空間が形成される外フレーム（１０）と、前記外フレーム（１０）の対向する内側面を互いに連結させる内フレーム（２０）と、前記外フレーム（１０）の内部を埋めて前記内フレーム（２０）が内部に埋め込まれる遮断材（３０）とからなり、
前記外フレーム（１０）は、長いプレート形状からなる第１、第２、第３、第４のプレート（１２、１４、１６、１８）が長方形に配置される形状からなり、前記内フレーム（２０）は、長いプレート形状からなる横プレート（２２）および縦プレート（２４）が格子状に配置される形状からなり、前記外フレーム（１０）の外側面の周縁に沿って多数個の第１の補強リブ（５０）がさらに設置され、前記遮断材（３０）は、前記第１の補強リブ（５０）が内部に埋め込まれるように前記外フレーム（１０）の外側に設置されることを特徴とする、高さ調節型床装置。
【請求項２】
前記ナット部（２１０）が、前記ボルトホール（１１０）の内部に挿入されることを特徴とする、請求項１に記載の高さ調節型床装置。
【請求項３】
前記床材（１００）の底面にプレート収容溝（１２０）が形成され、前記プレート収容溝（１２０）の内部に前記固定プレート（２００）が収容されることを特徴とする、請求項２に記載の高さ調節型床装置。
【請求項４】
前記高さ調節ボルト（３００）の下端が尖って形成されていることを特徴とする、請求項１に記載の高さ調節型床装置。
【請求項５】
前記高さ調節ボルト（３００）の下端に接触設置される防振パッド（４００）をさらに含むことを特徴とする、請求項１に記載の高さ調節型床装置。
【発明の詳細な説明】
【技術分野】
【０００１】
本発明は、高さ調節型床装置に関し、より詳細には、建物のスラブ（ＳＬＡＢ）上に高さ調節可能に設置される高さ調節型床装置に関する。
【背景技術】
【０００２】
一般的に、マンションのような建物には上下階の騒音が発生するが、上下階の騒音は、上の階から発生する各種の生活騒音（足音、トイレの給／排水の音、門を開閉する音、音響機器の音など）が下の階に伝わる騒音を意味し、通常、床衝撃音に代表される。
【０００３】
かかる上下階の騒音を防ぐための様々な形態の床材に関する研究が活発に行われており、高さ調節が可能な高さ調節型床装置もその一つである。
【０００４】
従来の高さ調節型床装置は、建物のスラブ上に離隔して配置される床材と、床材とスラブとの間に設置され、回転動作によって床材の高さを調節する高さ調節部材とを含んで構成される。特に、高さ調節部材としては、ボルト／ナットなどが主に使用されている。
【０００５】
しかし、前記のような高さ調節型床装置は、その構造的な特徴によって床材の高さ調節作業が困難で不便であるという問題がある。すなわち、床材の高さ調節のためには、作業者が手や別の道具を用いて床材とスラブとの間に位置した高さ調節部材を直接調節しなければならないが、通常、床材とスラブとの間隔が狭くて作業性が劣る。
【０００６】
これは、結局、高さ調節型床装置の機能性および使用性を低下させるという結果をもたらす。
【発明の概要】
【発明が解決しようとする課題】
【０００７】
本発明は、前記のような問題を解決するためになされたものであり、本発明で解決しようとする課題は、高さの調節が容易な高さ調節型床装置を提供することにある。
【課題を解決するための手段】
【０００８】
前記のような課題を解決するための本発明による高さ調節型床装置は、ボルトホールが形成された床材と、前記床材の底面に固定され、前記ボルトホールと対応するナット部が突出形成された固定プレートと、前記ボルトホールを介して前記ナット部に締結され、上端に道具挿入溝が形成された高さ調節ボルトとを含むことをその技術的特徴とする。
【発明の効果】
【０００９】
本発明による高さ調節型床装置は、高さ調節ボルトの上端に道具挿入溝が形成されることで、床材の高さ調節作業を簡単且つ効率よく行うことができるという利点がある。
【００１０】
これにより、高さ調節型床装置の機能性および使用性をより向上させることができる。
【図面の簡単な説明】
【００１１】
【図１】本発明による高さ調節型床装置の斜視図である。
【図２】本発明による高さ調節型床装置の要部を切開した斜視図である。
【図３】本発明による高さ調節型床装置の要部を切開した分解斜視図である。
【図４】本発明による高さ調節型床装置の結合構造を図示した断面図である。
【図５】本発明による高さ調節型床装置の使用状態図である。
【図６】本発明による高さ調節型床装置の床材を図示した斜視図である。
【図７】本発明による高さ調節型床装置の床材の外フレームおよび内フレームを図示した斜視図である。
【図８】図６のＡ−Ａ´断面を図示した断面図である。
【図９】図８で内フレームが設置される位置の実施形態を図示した断面図である。
【図１０】図８で床プレートが設置されたことを図示した断面図である。
【図１１】図７に補強フレームがさらに付加されたことを図示した斜視図である。
【図１２】図８に補強フレームがさらに付加されたことを図示した断面図である。
【図１３】図１１に第１の補強リブがさらに付加されたことを図示した斜視図である。
【図１４】図６に第１の補強リブがさらに付加されたことを図示した斜視図である。
【図１５】図１４のＢ−Ｂ´断面を図示した断面図である。
【図１６】図１３に第２の補強リブがさらに付加されたことを図示した斜視図である。
【図１７】図１４に第２の補強リブがさらに付加されたことを図示した斜視図である。
【図１８】本発明による高さ調節型床装置の床材の実施形態を図示した断面図である。
【発明を実施するための形態】
【００１２】
以下、本発明による高さ調節型床装置について、添付の図面を用いてより詳細に説明する。
【００１３】
図１〜図５に図示されているように、本発明による高さ調節型床装置は、ボルトホール１１０が形成された床材１００と、床材１００の底面に固定され、ボルトホール１１０と対応するナット部２１０が突出形成された固定プレート２００と、床材１００のボルトホール１１０を介してナット部２１０に締結される高さ調節ボルト３００とを含んで構成される。
【００１４】
床材１００は、長方形状を有しており、ボルトホール１１０は、床材１００の中央および外側領域に複数個形成される。かかるボルトホール１１０は、高さ調節ボルト３００が挿入されて移動する通路の役割をし、ボルトホール１１０の個数および配置形態などは適切に調節可能である。
【００１５】
また、床材１００の底面には、所定の深さを有する長方形のプレート収容溝１２０が形成されている。
【００１６】
一方、上述の構成の他、床材１００の詳細な構成については後述する。
【００１７】
固定プレート２００は、床材１００に形成されているプレート収容溝１２０と対応する長方形状を有しており、その内部空間に安定して収容固定される。このように、固定プレート２００がプレート収容溝１２０の内部に収容されて床材１００の板面の外部に突出しない構造を有することで、設置空間に対する制約を相対的に最小化できることは言うまでもなく、運送時に体積を減少させることができ、経済的な面においても有利である。
【００１８】
また、ナット部２１０は、固定プレート２００の中央領域に一体に形成されてボルトホール１１０の内部に挿入され、内面には、高さ調節ボルト３００と対応するねじ山が形成されている。
【００１９】
一方、固定プレート２００は、その固定状態をより強固且つ安定的に維持するために、スクリューなどのさらなる固定手段によって床材１００に固定され得る。
【００２０】
高さ調節ボルト３００は、固定プレート２００のナット部２１０と結合し、かかる高さ調節ボルト３００は、その回転動作（正回転および逆回転）によって固定プレート２００を昇降動作させることで、固定プレート２００と結合している床材１００の高さを調節することができる。
【００２１】
また、高さ調節ボルト３００は、回転動作の際、スラブＳの上に点接触し、回転動作がスムーズに行われるように、その下端の形状が尖って形成されることが好ましい。
【００２２】
また、高さ調節ボルト３００の上端には道具挿入溝３１０が形成され、かかる道具挿入溝３１０を介して高さ調節ボルト３００の回転動作を床材１００の上で行うことができ、床材１００の高さ調節作業をより効率的且つ簡単に実現することができる。道具挿入溝３１０の形態としては、ドライバーなどの道具を用いて高さ調節ボルト３００を回転させることができる範囲内で、十字溝または一字溝など様々な形態を適用できることは言うまでもない。
【００２３】
一方、上述の高さ調節型床装置は、高さ調節ボルト３００の下端に接触設置されるゴムなどの材質の防振パッド４００をさらに含んでもよく、高さ調節ボルト３００と接触する防振パッド４００の領域には、高さ調節ボルト３００の回転動作がスムーズに行われるように、摩擦防止コーティング層（図示せず）が形成されてもよい。かかる防振パッド４００により、床材１００から伝わる振動を効率よく減少させることで、防音効果を期待することができる。
【００２４】
以下、本発明による高さ調節型床装置の構成の一つである床材１００についてより具体的に説明する。ただし、上述の床材１００のボルトホール１１０およびプレート収容溝１２０に関する説明および図面は省略する。
【００２５】
図６は本発明による高さ調節型床装置の床材を図示した斜視図、図７は本発明による高さ調節型床装置の床材の外フレームおよび内フレームを図示した斜視図、図８は図６のＡ−Ａ´断面を図示した断面図、図９は図８で内フレームが設置される位置の実施形態を図示した断面図、図１０は図８で床プレートが設置されたことを図示した断面図である。
【００２６】
本発明による断熱および防音機能を有する床材は、内部に空間が形成される外フレーム１０と、外フレーム１０の互いに対向する内側面を互いに連結させる内フレーム２０と、外フレーム１０の中を埋めて内フレーム２０が内部に埋め込まれる遮断材３０を含んで構成される。
【００２７】
外フレーム１０は、本発明による断熱および防音機能を有する床材の全体的な形状を決定する構成要素である。外フレーム１０は、内部に空間が形成され、後述する内フレーム２０と遮断材３０が設置されてもよい。外フレーム１０の形態は、多様に形成され得るが、本発明の実施形態の外フレーム１０は、図６に図示されているように、四つのプレートが長方形に配置された形態からなる。具体的には、外フレーム１０は、図７に図示されているように、長いプレート形状からなる第１、第２、第３、第４のプレート１２、１４、１６、１８から構成され、その間に所定の間隔を置いて互いに平行に配置される第１、第３のプレート１２、１６の両端に第２、第４のプレート１４、１８が連結される形態からなる。
【００２８】
第１、第２、第３、第４のプレート１２、１４、１６、１８は、所定の高さを有するプレート形状からなる。
【００２９】
内フレーム２０は、外フレーム１０の内部に設置されて、外フレーム１０と、後述する遮断材３０の強度を高める。内フレーム２０は、外フレーム１０の内部に格子状に設置される。具体的には、内フレーム２０は、一端と他端が、それぞれ第１、第３のプレート１２、１６の内側に連結される横プレート２２と、一端と他端が、それぞれ第２、第４のプレート１４、１８の内側に連結される縦プレート２４とからなる。
【００３０】
横プレート２２と縦プレート２４は、第１、第２、第３、第４のプレート１２、１４、１６、１８と同様、所定の高さを有するプレート形状からなり、第１、第２、第３、第４のプレート１２、１４、１６、１８の高さよりも低く形成される。無論、横プレート２２と縦プレート２４が、いずれも、第１、第２、第３、第４のプレート１２、１４、１６、１８の高さと同様に形成されてもよいが、これは、使用される材料の量を減少させることで重量を減少させるとともに使用される材料の量を減少させるためである。また、横プレート２２と縦プレート２４が外フレーム１０に設置される位置は、外フレーム１０の上端または下端に偏ることなく、図８に図示されているように、その間に設置される。また、横プレート２２と縦プレート２４が接して格子空間２６を形成する。
【００３１】
遮断材３０は、外フレーム１０の中を埋めて、本発明による床材が断熱と防音機能を有するようにする。遮断材３０が外フレーム１０の中を埋めることで、内フレーム２０が遮断材３０の内部に埋め込まれる。遮断材３０としては、スチロフォームと知られている発泡ポリスチレン（ＥＸＰＡＮＤＥＤ  ＰＯＬＹ  ＳＴＹＲＥＮＥ）が主に用いられ、その他、断熱および防音の効果を有する他の材料、例えば、Ｉｓｏ  Ｐｉｎｋ（商標名、ＥＸＴＲＵＤＥＤ  ＰＯＬＹ  ＳＴＹＲＥＮＥ）、ポリウレタン（ＰＯＬＹ  ＵＲＥＴＡＮＥ）などが用いられてもよい。
【００３２】
遮断材３０は、仮に、内フレーム２０の高さが外フレーム１０の高さと一致する場合、外フレーム１０の高さよりも高く設置されることが好ましいが、これは、外フレーム１０の内部に設置される遮断材３０が、内フレーム２０によって区切られ、分離されることを防止するためである。
【００３３】
一方、本発明の外フレーム１０には、床プレート１９がさらに設置され得るが、これは、外フレーム１０が使用される材料の特性上、相対的に強度が低い材料を使用する場合にさらに使用されて、本発明による断熱および防音機能を有する床材の強度および弾性限界を増加させるためである。すなわち、床プレート１９は、外フレーム１０の枠状からなり、図１０に図示されているように、外フレーム１０の底面に設置されることで、外フレーム１０の底面をカバーする。床プレート１９は、後述する本発明の実施形態にいずれも適用可能である。
【００３４】
図１１は図７に補強フレームがさらに付加されたことを図示した斜視図、図１２は図８に補強フレームがさらに付加されたことを図示した断面図である。
【００３５】
補強フレーム４０は、本発明による断熱および防音機能を有する床材の強度を増加させるための構成であり、図１１に図示されているように、外フレーム１０の高さと同一の高さで形成され、外フレーム１０の内部に格子状に配置される横補強プレート４２および縦補強プレート４４からなる。補強フレーム４０は、内フレーム２０の高さが外フレーム１０よりも低く形成される場合に設置され、仮に、内フレーム２０の高さが外フレーム１０の高さと同様に形成される場合、内フレーム２０が、補強フレーム４０と同一の構造であるため不要である。また、補強フレーム４０が設置される場合、遮断材３０は、区切られることを防止するために、図１３に図示されているように、外フレーム１０の高さよりも高く形成されることが好ましい。
【００３６】
図１３は図１１に第１の補強リブがさらに付加されたことを図示した斜視図、図１４は図６に第１の補強リブがさらに付加されたことを図示した斜視図、図１５は図１４のＢ−Ｂ´断面を図示した断面図、図１６は図１３に第２の補強リブがさらに付加されたことを図示した斜視図、図１７は図１４に第２の補強リブがさらに付加されたことを図示した斜視図、図１８は本発明による高さ調節型床装置の床材の実施形態を図示した断面図である。
【００３７】
第１の補強リブ５０は、遮断材３０が外フレーム１０の外側にも設置されるようにするための構成であり、図１３に図示されているように、プレート形状からなり、外フレーム１０の外側縁部に沿って多数個が設置される。実施形態として第１の補強リブ５０は、二つのパターンに形成される。すなわち、外フレーム１０および補強フレーム４０と同一の高さで形成される第１の補強リブ５０は、第１、第２、第３、第４のプレート１２、１４、１６、１８から延びる位置と、横補強プレート４２および縦補強プレート４４から延びる位置に形成される。また、内フレーム２０と同一の高さで形成される第１の補強リブ５０´は、横プレート２２および縦プレート２４から延びる位置に形成される。
【００３８】
第２の補強リブ６０は、第１の補強リブ５０と同一の役割を果たす。第２の補強リブ６０は、図１１に図示されているように、プレート形状からなり、外フレーム１０のコーナの外側のそれぞれに放射状に設置される。第２の補強リブ６０は、第１の補強リブ５０によって遮断材３０のコーナ３４が区切られることで強度が低下することを防止するための構成である。
【００３９】
第１の補強リブ５０と第２の補強リブ６０は、遮断材３０の縁部３２が外フレーム１０を越えて位置するようにすることで、本発明による断熱および防音機能を有する床材が設置される時に互いに当接する部分で騒音が発生することを防止する。すなわち、外フレーム１０は、合成樹脂のように硬い材質で形成されるため、互いに向い合う場合にぶつかって騒音が生じ得るという問題がある。本発明は、かかる騒音を防止するために、遮断材３０が互いに向い合うようにするために、外フレーム１０の外側に第１の補強リブ５０と第２の補強リブ６０を設置する。
【００４０】
また、本発明の最も好ましい実施形態は、図１８に図示されているように、外フレーム１０と同一の高さの内フレーム２０が、内部に格子状に設置され、底面には床プレート１９が設置され、外フレーム１０の外側に第１の補強リブ５０および第２の補強リブ６０が設置される構造である。これは、最も高い強度に耐えられるという利点がある。
【符号の説明】
【００４１】
１００  床材
１１０  ボルトホール
１２０  プレート収容溝
２００  固定プレート
２１０  ナット部
３００  高さ調節ボルト
３１０  道具挿入溝
４００  防振パッド
【図１】
2020514600.tif 000003
【図２】
2020514600.tif 000004
【図３】
2020514600.tif 000005
【図４】
2020514600.tif 000006
【図５】
2020514600.tif 000007
【図６】
2020514600.tif 000008
【図７】
2020514600.tif 000009
【図８】
2020514600.tif 000010
【図９】
2020514600.tif 000011
【図１０】
2020514600.tif 000012
【図１１】
2020514600.tif 000013
【図１２】
2020514600.tif 000014
【図１３】
2020514600.tif 000015
【図１４】
2020514600.tif 000016
【図１５】
2020514600.tif 000017
【図１６】
2020514600.tif 000018
【図１７】
2020514600.tif 000019
【図１８】
2020514600.tif 000020
【国際調査報告】
2020514600.tif 000021
2020514600.tif 000022
2020514600.tif 000023
2020514600.tif 000024